(57)【要約】【課題】海苔の摘採の際に、ロータリーカッターが海苔網の荷重による負荷を分散して受けられるようにして、作業性の高い海苔摘採機を提供する。【解決手段】回転円板３には、この回転円板３を貫通する溝４が、回転円板３の周方向に均等な間隔をおいて６個設けられている。回転円板３の中心には中心穴３ａが設けられ、この中心穴３ａにパイプ状軸心が嵌めこまれ、このパイプ状軸心の回転に伴って回転円板３が回転する。回転円板３上に設けられた溝４に対して、回転円板３の周方向について交互に右側と左側とからロータリーカッター片２ａが嵌めこまれてロータリーカッターが形成される。【選択図】          図１
2004350590.tif 000002
【特許請求の範囲】
【請求項１】
溝が設けられた回転円板にロータリーカッター片を嵌めこんでロータリーカッターが形成され、前記回転円板の中心に嵌めこまれたパイプ状軸心の回転に伴って回転円板が回転して前記ロータリーカッターにより海苔を摘採する海苔摘採機において、前記溝に対して前記回転円板の周方向について交互に右側と左側とから前記ロータリーカッター片が嵌めこまれて前記ロータリーカッターが形成されていることを特徴とする海苔摘採機。
【請求項２】
網受けパイプが取り付けられ、この網受けパイプには、回転自在の網受け回転体が複数個設けられていることを特徴とする請求項１記載の海苔摘採機。
【発明の詳細な説明】
【０００１】
【発明の属する技術分野】
本発明は、養殖海苔、海藻類の摘採に使用する海苔摘採機に関する。
【０００２】
【従来の技術】
養殖海苔、海藻類の摘採に使用する海苔摘採機に関する発明は、例えば、本発明者によるものが、特許文献１、特許文献２等に記載されている。
【０００３】
【特許文献１】
特開平１１−９８９１３号公報（段落番号０００８〜００１２）
【特許文献２】
特開平１１−２２５５３８号公報（段落番号０００４〜０００６）
【０００４】
特許文献１には、従来の海苔摘採機において用いられていた縦格子（テンガイ）とこの縦格子の下部を支えて固定するパイプ補強部材を完全に無くして、摘み機本体の上部に海苔摘採の長さを調整するための定規を配置し、この定規の前端部又は背面カバー前端部よりロータリーカッターを直視できるように開放し、このロータリーカッターには間隔をおいて回転円板を配設した海苔摘採機が記載されている。
【０００５】
この海苔摘採機によると、縦格子が無いためにロータリーカッターに成長した海苔を落とし込んで摘採することができ、縦格子の下部を支え固定しているパイプ状補強部材が無いために、摘採した海苔が足場に溜まることが無くなり摘採作業がスムーズになるという利点がある。
【０００６】
また、特許文献２には、網受けパイプに網の垂れ込みを防止する網受け回転体を適数配設した海苔摘採機が記載されている。
この海苔摘採機の構成を図３に示す。
図３において、海苔摘採機本体１にはロータリーカッター２が設けられている。このロータリーカッター２は、図４において示す回転円板３に設けられた溝４に、ロータリーカッター片を嵌めこむことによって、複数のロータリーカッター片が連続的に配設されて形成されるものである。
【０００７】
図４は回転円板３の正面図であり、図４に示すように、回転円板３には、この回転円板３を貫通する溝４が、回転円板３の周方向に均等な間隔をおいて３個設けられている。回転円板３の中心には中心穴３ａが設けられ、この中心穴３ａにパイプ状軸心５が嵌めこまれ、このパイプ状軸心５の回転に伴って回転円板３が回転し、ロータリーカッター２によって海苔の摘採がなされる。
また、この海苔摘採機においては、網受けパイプ６が取り付けられ、この網受けパイプ６には、回転自在の網受け回転体７が複数個設けられている。
【０００８】
この海苔摘採機によると、長く硬い海苔葉体の場合でも、海苔網受け回転体７による強制回動により海苔網、葉体を移動して、ロータリーカッター２に対して接近した位置で海苔網を支えることができ、摘採条件を整えることができるという利点がある。
【０００９】
【発明が解決しようとする課題】
しかし、このような構成の海苔摘採機においても、海苔の摘採の際に、海苔網による荷重をロータリーカッターの刃先で受けることとなり、ロータリーカッターが受ける負荷は相当なものとなる。ロータリーカッターが受ける負荷が大きくなると、適正に海苔の摘採を行うためにはより高速で回転円板を回転させることが必要となるが、高速回転のためには動力源の動力を大きくせざるを得ない。しかし、海苔摘採機を船上に配置して海苔の摘採を行う際には、狭い船上で作業することから、動力源の動力を大きくすることによる排気ガスの排出量の増加は、作業者の健康を害するという問題点があり、むやみに回転数を上げることはできない。
【００１０】
本発明は、このような事情を考慮してなされたもので、海苔の摘採の際に、ロータリーカッターが海苔網の荷重による負荷を分散して受けられるようにして、作業性の高い海苔摘採機を提供することを目的とする。
【００１１】
【課題を解決するための手段】
以上の課題を解決するために、本発明は、溝が設けられた回転円板にロータリーカッター片を嵌めこんでロータリーカッターが形成され、前記回転円板の中心に嵌めこまれたパイプ状軸心の回転に伴って回転円板が回転して前記ロータリーカッターにより海苔を摘採する海苔摘採機において、前記溝に対して前記回転円板の周方向について交互に右側と左側とから前記ロータリーカッター片が嵌めこまれて前記ロータリーカッターが形成されていることを特徴とする海苔摘採機である。
【００１２】
溝に対して回転円板の周方向について交互に右側と左側とから前記ロータリーカッター片が嵌めこまれてロータリーカッターが形成されていることにより、回転円板の配列方向に対して、ロータリーカッターは一連に連続して形成されず、回転円板の周方向にずらしてロータリーカッターが形成される構成となる。そのため、海苔摘採機に海苔網を載せて海苔の摘採を行う際に、海苔網の荷重によってロータリーカッターが受ける負荷を分散させることができる。
このように、ロータリーカッターが受ける負荷を分散させることによって、回転円板を回転させるための動力源の動力を大きくすることなく、スムーズに回転円板を回転させて、海苔の摘採を効率良く行うことができる。
また、ロータリーカッターが一連に連続して形成された海苔摘採機においては、海苔網にはたらく張力が大きすぎて、海苔葉体が長い場合にはカッターの回転域に海苔葉体を十分に落とし込むことができず、摘採される海苔の長さにばらつきを生じて品質が低下しやすいのに対して、本発明の海苔摘採機では、海苔網にはたらく張力を緩和することができるため、海苔葉体の長短に拘らず摘採される海苔の長さをほぼ均等に保つことができる。
【００１３】
本発明においては、網受けパイプが取り付けられ、この網受けパイプには、回転自在の網受け回転体が複数個設けられていることが好ましい。
この網受け回転体を設けることによって、ロータリーカッターに対して接近した位置で網を支えて網の垂れ込みを防止することができ、よりスムーズに回転円板を回転させて、海苔の摘採を効率良く行うことができる。
【００１４】
【発明の実施の形態】
以下、本発明をその実施の形態に基づいて説明する。
図１は、本発明の海苔摘採機において用いられるロータリーカッターを構成するロータリーカッター片２ａと、回転円板３とを示すものである。
図１（ａ）は回転円板３の正面図であり、図１（ａ）に示すように、回転円板３には、この回転円板３を貫通する溝４が、回転円板３の周方向に均等な間隔をおいて６個設けられている。
【００１５】
図１（ｂ）はロータリーカッター片２ａの斜視図であり、このロータリーカッター片２ａが、回転円板３を貫通する溝４に嵌めこまれてロータリーカッターが形成される。
図１（ｃ）に、ロータリーカッター片２ａと回転円板３との接続位置を示す。
図１（ｃ）において、実線の矢印は、回転円板３の右側からロータリーカッター片２ａを嵌めこむことを示しており、破線の矢印は、回転円板３の左側からロータリーカッター片２ａを嵌めこむことを示している。このように、回転円板３上に設けられた溝４に対して、回転円板３の周方向について交互に右側と左側とからロータリーカッター片２ａが嵌めこまれてロータリーカッターが形成される。
図２に、上記の方法により、ロータリーカッター片２ａを１枚の回転円板３に嵌めこんだ状態を示す。この様にして複数の回転円板３にロータリーカッター片２ａが嵌めこまれてロータリーカッターが形成される。
【００１６】
図４に示す従来の海苔摘採機においては、回転円板３に設けられた同一の溝４に対して両側からロータリーカッター片２ａが嵌めこまれて、一連に連続するロータリーカッター２を形成していたのに対して、本発明の海苔摘採機においては、回転円板３に設けられた溝４に対して回転円板３の周方向にずらして交互にロータリーカッター片２ａが嵌めこまれるため、一連に連続したものではなく、回転円板３毎に交互に配設位置が異なるロータリーカッターが形成される。
【００１７】
回転円板３の中心には中心穴３ａが設けられ、この中心穴３ａにパイプ状軸心５が嵌めこまれ、このパイプ状軸心５の回転に伴って回転円板３が回転し、ロータリーカッター２によって海苔の摘採がなされる。
ロータリーカッター２を上記のように形成することにより、従来の海苔摘採機においては、海苔摘採機に海苔網を載せて海苔の摘採を行う際に、一連の連続するロータリーカッター２で海苔網の荷重を支えるため、ロータリーカッター２が受ける負荷が集中していたのに対して、本発明の海苔摘採機では、回転円板３が回転する際に、海苔網の荷重によってロータリーカッター２が受ける負荷を分散させることができる。
【００１８】
また、図３に示すように、網受けパイプ６が取り付けられ、この網受けパイプ６には、回転自在の網受け回転体７が複数個設けられていることは、本発明の海苔摘採機においても同様である。
なお、以上の説明においては、回転円板３に設けられた溝４の個数を６個としているが、これに限定されるものではなく、必要に応じて適宜定めることができる。また、溝４の形状についても必要に応じて他の形状を採ることができる。
【００１９】
【発明の効果】
以上説明したように、本発明によると、以下の効果を奏することができる。
（１）溝が設けられた回転円板にロータリーカッター片を嵌めこんでロータリーカッターを形成し、前記回転円板の中心に嵌めこまれたパイプ状軸心の回転に伴って回転円板が回転して前記ロータリーカッターにより海苔を摘採する海苔摘採機において、前記溝に対して前記回転円板の周方向について交互に右側と左側とから前記ロータリーカッター片が嵌めこまれて前記ロータリーカッターが形成されていることにより、海苔摘採機に海苔網を載せて海苔の摘採を行う際に、海苔網の荷重によってロータリーカッターが受ける負荷を分散させることができ、回転円板を回転させるための動力源の動力を大きくすることなく、スムーズに回転円板を回転させて、海苔の摘採を効率良く行うことができる。
【００２０】
（２）ロータリーカッターが一連に連続して形成された海苔摘採機においては、海苔網にはたらく張力が大きすぎて、海苔葉体が長い場合にはカッターの回転域に海苔葉体を十分に落とし込むことができず、摘採される海苔の長さにばらつきを生じて品質が低下しやすいのに対して、本発明の海苔摘採機では、海苔網にはたらく張力を緩和することができるため、海苔葉体の長短に拘らず摘採される海苔の長さをほぼ均等に保つことができる。
【００２１】
（３）網受けパイプが取り付けられ、この網受けパイプには、回転自在の網受け回転体が複数個設けられていることにより、ロータリーカッターに対して接近した位置で網を支えて網の垂れ込みを防止することができ、よりスムーズに回転円板を回転させて、海苔の摘採を効率良く行うことができる。
【図面の簡単な説明】
【図１】本発明の海苔摘採機において用いられるロータリーカッターを構成するロータリーカッター片と、回転円板とを示すものであり、（ａ）は回転円板の正面図、（ｂ）はロータリーカッター片の斜視図、（ｃ）はロータリーカッター片と回転円板との接続位置を示す図である。
【図２】ロータリーカッター片を１枚の回転円板に嵌めこんだ状態を示す図である。
【図３】従来の海苔摘採機の全体斜視図である。
【図４】従来の海苔摘採機における回転円板の正面図である。
【符号の説明】
１  海苔摘採機本体
２  ロータリーカッター
２ａ  ロータリーカッター片
３  回転円板
３ａ  中心穴
４  溝
５  パイプ状軸心
６  網受けパイプ
７  網受け回転体
【図１】
2004350590.tif 000003
【図２】
2004350590.tif 000004
【図３】
2004350590.tif 000005
【図４】
2004350590.tif 000006